(57)【要約】      （修正有）【課題】使用者がスタンプに手を触れずに比較的容易かつ確実に捺印でき、電力等のエネルギーを消費することがなく設置の自由度が高いスタンプ装置を提供する。【解決手段】スタンプＳが捺印されるスタンプシートＴを上面に載置するスタンプ台２と、このスタンプ台の下方に配設されているペダル３と、スタンプ台の上方でスタンプを保持するスタンプ保持部４とを備え、ペダルの踏み込み操作によって、スタンプがスタンプシートに捺印されるようにスタンプ保持部がスタンプ台の上面に近接するスタンプ装置１であって、スタンプ保持部が、大きさの異なるスタンプを保持するための保持調整機構を有し、スタンプシートに捺印する押圧力を調整するための押圧調整機構をさらに有する。【選択図】図２
0003230744.tif 000002
【実用新案登録請求の範囲】
【請求項１】
スタンプが捺印されるスタンプシートを上面に載置するスタンプ台と、
このスタンプ台の下方に配設されているペダルと、
上記スタンプ台の上方で上記スタンプを保持するスタンプ保持部と
を備え、
上記ペダルの踏み込み操作によって、上記スタンプが上記スタンプシートに捺印されるように上記スタンプ保持部が上記スタンプ台の上面に近接するスタンプ装置。
【請求項２】
上記スタンプ保持部が、大きさの異なるスタンプを保持するための保持調整機構を有する請求項１に記載のスタンプ装置。
【請求項３】
上記スタンプシートに捺印する押圧力を調整するための押圧調整機構をさらに備える請求項１又は請求項２に記載のスタンプ装置。
【請求項４】
上記スタンプの印面を保護し、上記ペダルの踏み込み操作によって開放するカバーをさらに備える請求項１、請求項２又は請求項３に記載のスタンプ装置。
【請求項５】
上記カバーが、上記ペダルの非踏み込み状態で上記スタンプの印面にインクを付着させるインク付着部を有する請求項４に記載のスタンプ装置。
【考案の詳細な説明】
【技術分野】
【０００１】
本考案は、スタンプ装置に関する。
【背景技術】
【０００２】
一定の経路を巡りながら各要所に配置されているスタンプを捺印するスタンプラリーが知られている。一般的に、スタンプラリーでは、スタンプ用の台にスタンプが準備され、当該スタンプラリーの参加者が用意したスタンプ用紙に上記スタンプを捺印している。
また、駅や観光施設などに設置された記念スタンプを収集する楽しみも広く知られている。
上記スタンプは、不特定多数の人が触れるものであるため、接触感染等をするおそれがある。また、上記スタンプは、盗難、いたずら等がされるおそれがある。上記スタンプは、上記参加者が容易に捺印できるよう収納箱等に収納されていないことが多いため、塵埃等によって汚損することがある。
【０００３】
搬送される原稿に動力を用いて自動で捺印するスタンプ装置が発案されている（特開２００２−１０３７６６号公報）。このような自動で捺印するスタンプ装置を上記スタンプ用の台に配設することができれば、参加者は上記スタンプに手を触れることなく捺印することができ、上記スタンプの盗難等も低減できると考えられる。しかしながら、スタンプの捺印に動力を要すると、そのエネルギーコストが発生するため経済的ではなく、また、電力等の供給のため上記スタンプ用の台の設置の自由度が小さくなるおそれもある。上記スタンプ装置では、厚みの異なる用紙に対応することや印面のデザイン変更等によるスタンプの交換が容易にできないおそれがある。上記参加者においては、自動で捺印されるより自らの操作によって捺印できる方が、記念スタンプを収集するという楽しみに対する満足度が高いと思われる。
【先行技術文献】
【特許文献】
【０００４】
【特許文献１】特開２００２−１０３７６６号公報
【考案の概要】
【考案が解決しようとする課題】
【０００５】
上述のような事情に鑑みて、本考案は、使用者がスタンプに手を触れずに比較的容易かつ確実に捺印でき、電力等のエネルギーを消費することがなく設置の自由度が高いスタンプ装置を提供することを目的とする。
【課題を解決するための手段】
【０００６】
上記課題を解決するためになされた本考案の一態様は、スタンプが捺印されるスタンプシートを上面に載置するスタンプ台と、このスタンプ台の下方に配設されているペダルと、上記スタンプ台の上方で上記スタンプを保持するスタンプ保持部とを備え、上記ペダルの踏み込み操作によって、上記スタンプが上記スタンプシートに捺印されるように上記スタンプ保持部が上記スタンプ台の上面に近接するスタンプ装置である。
【０００７】
当該スタンプ装置は、スタンプ台の下方に配置されているペダルと、上記スタンプ台の上方で上記スタンプを保持するスタンプ保持部とを備え、上記ペダルの踏み込み操作によって、上記スタンプ保持部が上記スタンプ台の上面に載置されたスタンプシートに近接する。すなわち、足で操作してスタンプの捺印ができるため、使用者は上記スタンプに手を触れずに比較的容易かつ確実に上記スタンプシートに捺印できる。また、当該スタンプ装置は、電力等のエネルギーを消費することがないため、設置の自由度が高い。
【０００８】
上記スタンプ保持部が、大きさの異なるスタンプを保持するための保持調整機構を有することが好ましい。このようにすることで、当該スタンプ装置が様々なスタンプを保持することができ、汎用性に優れた当該スタンプ装置にできる。
【０００９】
当該スタンプ装置が、上記スタンプシートに捺印する押圧力を調整するための押圧調整機構をさらに備えることが好ましい。上記押圧調整機構によれば、上記ペダルの踏み込み操作によって上記スタンプが上記スタンプシートに当接し、さらに上記ペダルを踏み込んでも上記スタンプシートに対する上記スタンプの押圧力が調整される。このため、上記スタンプの印面が上記スタンプシートを安定して押圧でき、より容易かつ確実に捺印ができる。
【００１０】
当該スタンプ装置が、上記スタンプの印面を保護し、上記ペダルの踏み込み操作によって開放するカバーをさらに備えることが好ましい。このようにすることで、上記スタンプの印面の乾燥、汚損等を抑制できる。
【００１１】
上記カバーが、上記ペダルの非踏み込み状態で上記スタンプの印面にインクを付着させるインク付着部を有することが好ましい。このようにすることで、使用者が捺印前に上記スタンプにインクを付着する手間を省略することができ、より容易かつ確実に捺印することができる。
【考案の効果】
【００１２】
以上のように、当該スタンプ装置は、使用者がスタンプに手を触れずに比較的容易かつ確実に捺印でき、電力等のエネルギーを消費することがないため設置の自由度が高い。
【図面の簡単な説明】
【００１３】
【図１】図１は、本考案の一実施形態であるスタンプ装置を示す模式的正面図である。
【図２】図２は、図１のスタンプ装置の模式的右側面図である。
【図３】図３は、図１のスタンプ装置の模式的平面図である。
【図４】図４は、押圧調整機構を備えるスタンプ装置の非踏み込み状態を示す部分的な模式的右側面図である。
【図５】図５は、図４のスタンプ装置の踏み込み操作をしている状態を示す部分的な模式的右側面図である。
【図６】図６は、図５のスタンプ装置の踏み込み操作からさらにペダルを踏み込んだ状態を示す部分的な模式的右側面図である。
【図７】図７は、図２のＡ−Ａ断面を示す模式的断面図である。
【図８】図８は、図７のスタンプ装置で踏み込み操作をした状態を示す模式的Ａ−Ａ断面図である。
【図９】図９は、図７のスタンプ装置に用いられる接続部材を示す模式的斜視図である。
【図１０】図１０は、図７とは異なるカバーを備えるスタンプ装置を示す部分的な模式的正面図である。
【図１１】図１１は、図１０のスタンプ装置で踏み込み操作をした状態を示す部分的な模式的正面図である。
【図１２】図１２は、図１のスタンプ装置が有する高さ調整機構の一例を示す部分的な模式的斜視図である。
【考案を実施するための形態】
【００１４】
以下、本考案の一実施形態であるスタンプ装置について適宜図面を用いて詳説する。なお、以下の説明において、「前側」とは、使用者が当該スタンプ装置を操作する側であり、「背側」とは、その反対側であり、「前後」は当該スタンプ装置の奥行方向を意味する。また、「上側」とは、当該スタンプ装置におけるスタンプ台の上面の法線方向で上記上面から離間する側であり、「下側」とは、その反対側であり、「上下」は当該スタンプ装置の高さ方向を意味する。「横」とは、上記奥行方向及び高さ方向に直交する当該スタンプ装置の幅方向を意味する。
【００１５】
［スタンプ装置］
本考案の一態様であるスタンプ装置１は、図１〜３で示すように、スタンプＳが捺印されるスタンプシートＴを上面に載置するスタンプ台２と、このスタンプ台２の下方に配設されているペダル３と、スタンプ台２の上方でスタンプＳを保持するスタンプ保持部４とを主に備える。スタンプ装置１は、スタンプ台２の上記上面が略水平になるように設置されることが好ましい。
【００１６】
スタンプ装置１では、ペダル３の踏み込み操作によって、スタンプＳが上記スタンプシートに捺印できるようにスタンプ保持部４がスタンプ台２の上記上面に近接する。換言すれば、スタンプ装置１は、ペダル３の上下動によってスタンプ保持部４が上下動するように構成され、使用者がペダル３を踏み込んで押し下げるとスタンプ保持部４に保持されているスタンプＳが下降して上記スタンプシートＴに捺印できる。
【００１７】
〔スタンプ台〕
スタンプ台２は、上面でスタンプシートを載置する天板部２１と、この天板部２１の下面側に配置され、天板部２１を支持する脚部２２を有する。天板部２１は、例えば平面視で略矩形の板状部材である。脚部２２は、例えば天板部２１の下面側の四隅で、長手方向が天板部２１の下面の法線方向と平行に配置される棒状部材である。側面側の一対の脚部２２には、この一対の脚部２２同士を連結する梁部分２３を有することが好ましい。また、背面側の一対の脚部２２は、後述するスタンプ保持部４のロッド４１用のガイド２４ａを備える下側背板２４を有する。脚部２２は、天板部２１の上記上面を略水平にできるように、それぞれの高さ（長さ）を調整できる高さ調整機構を有するのが好ましい。
【００１８】
この調整機構としては、特に限定されるものではないが、例えば図１２で示すように、公知のレベルアジャスタＫを用いることができる。レベルアジャスタＫは、一方が設置面（床面）に当接するパッド部分Ｋ１と、このパッド部分Ｋ１の他方の面に設けられ、外周面に雄螺子が形成されたスタッド部分Ｋ２とを有する。脚部２２それぞれの下面に、内周面に雌螺子が形成された穴部分２２ａを設け、この穴部分２２ａにスタッド部分Ｋ２を螺合する。脚部２２それぞれのスタッド部分Ｋ２の突出量を調整することで天板部２１の上記上面を略水平にすることができる。上記穴部分２２ａは、脚部２２に設けるのではなく、雌螺子部材を脚部２２に装着し、この雌螺子部材にレベルアジャスタＫが螺合するようにしてもよい。
【００１９】
脚部２２は、図では、四本の棒状部材としているが、３枚の板上部材を用いて、天板部２１の下方側で側壁と背壁とを構成するように配置してもよい。
【００２０】
スタンプ台２は、天板部２１の下面側にリターンスプリングＷを懸下する懸下部分２５を有する。リターンスプリングＷは、上記踏み込み操作によって伸長し、上記踏み込み操作を解除すると、その復元力（収縮力）によって下方に移動したペダル３及びスタンプ保持部４を上方に引き上げて定位置に戻す。また、スタンプ台２は、天板部２１の上面の背側に配置される上側背板２６を有することが好ましい。このようにすることで、後述するスタンプ保持部４のロッド４１用のガイド２６ａ，２６ｂをさらに備えることができる。
【００２１】
〔ペダル〕
ペダル３は、板状部材であり、スタンプ台２の下方で、使用者の踏み込み操作によって下方に移動し、上記踏み込み操作を解除するとリターンスプリングＷによって上方に移動して定位置に復帰するように構成されている。ペダル３は、後述するスタンプ保持部４と連結されている。ペダル３の上記移動方法としては、特に限定されるものではなく、例えば、ペダル３の上面を天板部２１の上記上面と略平行になるようにし、この平行状態を保ったまま上下動するようにしてもよい。ペダル３の上記移動方法は、ペダル３の前端をスタンプ台２の設置面に当接させると共に後端を上記設置面から離間させ、上記前端を回転中心として回転することが好ましい。このようにすることで、上記踏み込み操作を容易にすることができる。
【００２２】
〔スタンプ保持部〕
スタンプ保持部４は、スタンプ台２の上方でスタンプＳを保持する。具体的には、スタンプ保持部４は、天板部２１の上方でスタンプＳを保持する。スタンプ保持部４は、ペダル３に連結され、上記踏み込み操作によってペダル３と共に下方に移動することで、スタンプ保持部４が保持するスタンプＳはスタンプシートＴに捺印できる。
【００２３】
スタンプ保持部４は、一端がペダル３に連結され、他端が天板部２１の上方に配置されているロッド４１と、一端がロッド４１の上記他端に接続され、他端が天板部２１の上方で、天板部２１の中心に向かうように配置されるアーム４２と、アーム４２の上記他端に接続されてスタンプＳを保持するホルダ４３とを含む。ロッド４１、アーム４２及びホルダ４３は、一体で形成してもよいし、それぞれを接続可能に個別に形成してもよい。
【００２４】
ロッド４１は、一端がペダル３に連結され、他端が天板部２１の上方に配置されている。ロッド４１は、スタンプ台２の背面側で、天板部２１の上記上面に対して略垂直になるように設けられていることが好ましい。ロッド４１は、一部がガイド２４ａ内を貫通し、上記略垂直な状態を維持したままペダル３と共に上下動可能にされる。上記踏み込み操作で回転するペダル３の場合、ロッド４１の上記一端は、上記略垂直に上下動できるようにリンク機構Ｌを有することが好ましい。ロッド４１は、リターンスプリングＷと接続される吊下部分４１ａを有する。
【００２５】
アーム４２は、一端がロッド４１の上記他端に接続され、他端が天板部２１の上方で、天板部２１の中心に向かうように配置される。アーム４２は、ロッド４１とホルダ４３とを接続する部材である。図では、アーム４２は、天板部２１の上記上面と略平行になるように配設される直線状の棒状部材で示しているが、これに限定されるものでなく、アーム４２の長手方向の中心軸と、ロッド４１の長手方向の中心軸とが鋭角をなすように配設されてもよいし、アーム４２が側面視で湾曲した円弧状の部材であってもよい。
【００２６】
ホルダ４３は、アーム４２の上記他端に接続されてスタンプＳを保持する。ホルダ３は、ペダル３が上下動すると、ロッド４１及びアーム４２を介して上下動する。本実施形態では、ホルダ４３は、スタンプＳを把持する把持部分４３ａと、この把持部分４３ａとアーム４２とを接続する接続部分４３ｂとを含む。アーム４２が、その長手方向の中心軸と、ロッド４１の長手方向の中心軸とが鋭角をなすように配設される等の場合は、接続部分４３ｂを含まないホルダ４３とすることができる。
【００２７】
把持部分４３ａの形状としては、特に限定されるものではないが、例えば、スタンプＳの把手部分が略直方体状である場合、接続部分４３ｂに固着される略矩形の天板と、この天板の対向する二辺から下方に突出する一対の側壁を有し、この一対の側壁間にスタンプＳの把手部分を収納するものとすることができる。また、スタンプＳの把手部分が略円柱状である場合、把持部分４３ａを有天筒状とし、この筒状体の中にスタンプＳの把手部分を収納するものとすることができる。
【００２８】
スタンプ保持部４が、大きさの異なるスタンプＳを保持するための保持調整機構を有するのが好ましい。具体的には、スタンプ保持部４におけるホルダ４３の把持部分４３ａが、スタンプＳの把手部分の大きさ（厚み、経）に対応することができるように構成されていることが好ましい。例えば、上記側壁の一方に内周面に雌螺子が形成された貫通孔を設け、この貫通孔にボルトＢを螺合する。このようにすることで、上記一対の側壁の間隔に対して上記把手部分の厚みが小さい場合でも、ボルトＢの締め込み量を調整してスタンプＳを把持することができる。上記一方の側壁に設けられる貫通孔の数としては、一でもよいが、安定してスタンプを保持するために二以上であることが好ましい。
【００２９】
把持部分４３ａが有天筒状である場合、筒状部分に一又は二以上の上記貫通孔を形成することで、上記筒状部分の内径に対して上記把手部分の外経が小さい場合でも、ボルトＢの締め込み量を調整してスタンプＳを把持することができる。
【００３０】
スタンプ装置１が、上記スタンプシートＴに捺印する押圧力を調整するための押圧調整機構をさらに備えることが好ましい。上記押圧調整機構は、スタンプ保持部４のロッド４１若しくはアーム４２、又はスタンプ台２の天板部２１等に備えられてもよいが、本実施形態では、スタンプ保持部４のホルダ４３に備えられるものを例として説明する。
【００３１】
上記押圧調整機構を備えるホルダ５は、図４で示すように、スタンプＳを把持する把持部分５１と、アーム４２と接続する接続部分５２と、把持部分５１と接続され、接続部分５２を貫通するシャフト５３と、把持部分５１と接続部分５２との間でシャフト５３が貫通するように配置されるコイルスプリング５４とを含む。シャフト５３は、接続部分５２からの脱落を防止するストッパ５３ａを有する。
【００３２】
ホルダ３は、図５で示すように、使用者の踏み込み操作によってペダル３が下方に移動すると、ロッド４１及びアーム４２を介して下方に移動し、スタンプＳの印面が天板部２１の上面に載置されたスタンプシートＴに当接する。使用者が、ペダル３をさらに踏み込むと、図６で示すように、コイルスプリング５４が圧縮されて把持部分５１と接続部分５２とが相対的に近接する。このようにすることで、使用者のペダル３の踏み込み量、或いはペダル３を踏み込む押圧力が大きい場合でもスタンプシートＴに対するスタンプＳの印面の押圧力を一定にすることができる。この押圧力は、コイルスプリング５４及びリターンスプリングＷのバネ定数の変更等により調整することができる。
【００３３】
スタンプ装置１が、スタンプＳの印面を保護し、ペダル３の踏み込み操作によって開放するカバーをさらに備えることが好ましい。具体的には、スタンプ装置１が、捺印するためのペダル３の踏み込み操作によって開放され、非踏み込み状態で閉じられてスタンプＳの印面を保護するカバーをさらに備えることが好ましい。上記カバーを有することにより、スタンプＳの印面が汚損等することを抑制できる。また、スタンプＳが浸透印であれば、上記カバーを有することにより、上記浸透印の印面が乾燥することを抑制できる。
【００３４】
具体的には、上記カバーは、ペダル３の非踏み込み状態でスタンプＳが上方に位置するときは、上記カバーの上面が上記印面に当接し、上記捺印するための踏み込み操作によって開放され、スタンプＳが下方に移動できるように構成される。
【００３５】
カバー６は、例えば図１〜３及び７〜８で示すように、略矩形の一対の板状部材で構成される。一対のカバー６それぞれの一辺は、上側背板２６から前方に突出するように配設されるカバー保持部材６１に蝶番６２により回転自在に接続される。上記一辺に対向する一対のカバー６それぞれの他の一辺は、上記非踏み込み状態で互いに接合し、カバー６が閉じられる。一対のカバー６のうちの一方は、下面側に上記接合する部分を被覆する被覆カバー６３を有するのが好ましい。
【００３６】
一対のカバー６は、連結部材７でロッド４１と連結される。このようにすることで、上記踏み込み操作によって一対のカバー６を開放することができる。具体的には、ロッド４１が、連結部材７を係止する係止部分４１ｂを有し、この係止部分４１ｂとカバー６とが連結部材７を介して連結される。上側背板２６は開口部分２６ｃを有し、この開口部分２６ｃでロッド４１の係止部分４１ｂが上下動可能にされる。上記踏み込み操作によって係止部分４１ｂが下方に移動すると、一対のカバー６の上記他の一辺が、自由落下により下方に移動し、カバー６が解放される。カバー６が天板部２１の上面に対して略垂直になると、さらに下方に移動する係止部分４１ｂが連結部材７を介してカバー６を押し広げる（図８）。上記踏み込み操作の解除によって係止部分４１ｂが上方に移動すると、係止部分４１ｂが連結部材７を介してカバー６を引き上げ、上記他の一辺が接合してカバー６が閉じられる。
【００３７】
連結部材７としては、特に限定されるものではなく、リンク機構を有するものとしてもよいが、図９で示すように、両端を折り曲げた線状部材７としてもよい。この線状部材７は、直線状の中央部分７ａと、この中央部分７ａ（図のＺ方向）から略９０°折り曲げられた上端部分７ｂと（図のＹ方向）、中央部分７ａ及び上端部分７ｂに対して略９０°折り曲げられた下端部分７ｃとを有する（図のＸ方向）。上端部分７ｂを係止部分４１ｂに設けられた孔に挿通し、下端部分７ｃをカバー６に形成した孔に挿通することで連結部材７により係止部分４１ｂとカバー６とを連結でき、係止部分４１ｂの上下動によりカバー６を開閉することができる。
【００３８】
上記カバーは、図１０〜１１で示すように、一対のものでなく、一の板状部材で構成されるカバー８としてもよい。
【００３９】
カバー６，８が、ペダル３の非踏み込み状態でスタンプＳの印面にインクを付着させるインク付着部９を有するのが好ましい。このようにすることで、浸透印以外の印章（スタンプ）でも繰り返し捺印をすることができる。具体的には、ペダル３の非踏み込み状態でインク付着部９とスタンプＳの印面とが当接するように、例えばカバー８の上面にインク付着部９を配置するとよい。
【００４０】
カバー６，８の材質としては、特に限定されるものではないが、透明な樹脂であることが好ましい。カバー６，８を透明な樹脂で形成することにより使用者が天板部２１の上面を視認することが容易になるため、スタンプシートＴを上記上面の好ましい位置に載置することが容易にできる。
【００４１】
［捺印方法］
スタンプ装置１を用いた捺印方法としては、スタンプシートをスタンプ台の天板部２１の上面に載置する工程と、ペダル３に踏み込み操作をする工程と、この踏み込み操作を解除する工程とを主に備える。
【００４２】
〔載置工程〕
載置工程では、使用者がスタンプシートＴをスタンプ台２の天板部２１の上面に載置する。天板部２１は、スタンプＳが下降してくる箇所を使用者が認識できるように当該箇所に位置合わせ用のマーキングがされていることが好ましい。又は、当該箇所にスタンプシートＴを固定できるようにスタンプシート用のホルダが天板部２１に配設されていることが好ましい。
【００４３】
〔踏み込み工程〕
上記載置工程の後、使用者はペダル３に踏み込み操作をする。この踏み込み操作によってペダル３が下方に移動し、ロッド４１及びアーム４２を介してホルダ４３が下方に移動して天板部２１の上記上面に近接する。ホルダ４３が下方に移動することで、ホルダ４３が保持するスタンプＳの印面がスタンプシートＴに当接し、捺印がされる。
【００４４】
〔非踏み込み工程〕
上記踏み込み工程の後、使用者は、ペダル３から足を離して上記踏み込み操作を解除する。使用者がペダル３から足を離すことによりペダル３が上方に移動すると共に、ロッド４１及びアーム４２を介してスタンプＳを保持するホルダ４３が上方に移動し、天板部２１の上記上面から離間する。使用者は、捺印がされたスタンプシートＴを回収する。
【００４５】
［利点］
当該スタンプ装置１は、使用者が足でペダル３を操作することにより捺印をすることができるため、使用者の個人差に関係なく比較的容易かつ確実に安定して捺印をすることができ、電力等のエネルギーを消費することがないので設置の自由度が高い。また、スタンプ保持部４がスタンプＳを保持しているため、使用者は不特定多数の人が触れたスタンプＳに触れる必要がなく衛生的であり、スタンプＳを手に取ることが容易にできないため盗難、いたずら等がされることを抑制できる。
【００４６】
［その他の実施形態］
上記開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００４７】
上述の実施形態では、リターンスプリングＷが天板部２１の下面側でロッド４１に架けられるもので説明したが、これら限定されるものではなく、例えば、ペダル３の下面側に弾性部材を配設し、踏み込み操作によって圧縮された上記弾性部材が非踏み込み状態で伸長してペダル３及びスタンプ保持部４が上方に移動するようにしてもよい。
【産業上の利用可能性】
【００４８】
本考案のスタンプ台は、上述のように、使用者が手で触れることなくスタンプを容易かつ確実に捺印することができるため、駅、観光施設等において好適に使用することができる。
【符号の説明】
【００４９】
１  スタンプ装置
２  スタンプ台
２１  天板部
２２  脚部
２２ａ  穴部分
２３  梁部分
２４  下側背板
２４ａ  ガイド
２５  懸下部分
２６  上側背板
２６ａ，２６ｂ  ガイド
２６ｃ  開口部分
３  ペダル
４  スタンプ保持部
４１  ロッド
４１ａ  吊下部分
４１ｂ  係止部分
４２  アーム
４３  ホルダ
４３ａ  把持部分
４３ｂ  接続部分
５  ホルダ
５１  把持部分
５２  接続部分
５３  シャフト
５３ａ  ストッパ
５４  コイルスプリング
６  カバー
６１  カバー保持部材
６２  蝶番
６３  被覆カバー
７  連結部材
７ａ  中央部分
７ｂ  上端部分
７ｃ  下端部分
８  カバー
９  インク付着部
Ｂ  ボルト
Ｋ  レベルアジャスタ
Ｋ１  パッド部分
Ｋ２  スタッド部分
Ｌ  リンク機構
Ｓ  スタンプ
Ｔ  スタンプシート
Ｗ  リターンスプリング
【図１】
0003230744.tif 000003
【図２】
0003230744.tif 000004
【図３】
0003230744.tif 000005
【図４】
0003230744.tif 000006
【図５】
0003230744.tif 000007
【図６】
0003230744.tif 000008
【図７】
0003230744.tif 000009
【図８】
0003230744.tif 000010
【図９】
0003230744.tif 000011
【図１０】
0003230744.tif 000012
【図１１】
0003230744.tif 000013
【図１２】
0003230744.tif 000014
【手続補正書】
【提出日】令和2年12月14日(2020.12.14)
【手続補正１】
【補正対象書類名】実用新案登録請求の範囲
【補正対象項目名】請求項２
【補正方法】変更
【補正の内容】
【請求項２】
上記スタンプ保持部が、側壁と、この側壁に近接及び離間可能なボルトとを含み、大きさの異なるスタンプを保持するための保持調整機構を有する請求項１に記載のスタンプ装置。
【手続補正２】
【補正対象書類名】実用新案登録請求の範囲
【補正対象項目名】請求項３
【補正方法】変更
【補正の内容】
【請求項３】
上記踏み込み操作によって圧縮されるスプリングを有し、上記スタンプシートに捺印する押圧力を調整するための押圧調整機構をさらに備える請求項１又は請求項２に記載のスタンプ装置。